(57)【特許請求の範囲】
【請求項１】
コンプレッサと、前記コンプレッサを動作させるための電源から前記コンプレッサに流れる電流が所定電流より大きくなると前記コンプレッサに流れる電流を遮断し、利用者の操作に応じて投入される第１遮断器と、を備える冷凍装置であって、
前記電源の電圧を測定する電圧測定部と、
測定された前記電源の電圧が所定電圧より低くなると、前記電源から前記コンプレッサに流れる電流が遮断されるよう前記第１遮断器に直列に設けられた第２遮断器を遮断し、前記電源の電圧が前記所定電圧より高くなった後に、前記第２遮断器を投入する制御部と、
前記冷凍装置の庫内の温度を測定する温度測定部と、
を備え、
前記制御部は、測定された前記庫内の温度が第１温度となると前記第２遮断器を遮断し、前記庫内の温度が前記第１温度より高い第２温度となると前記第２遮断器を投入し、
前記所定電流は、
前記電源の電圧が前記所定電圧の際に前記コンプレッサに流れる電流より大きいこと、
を特徴とする冷凍装置。
【請求項２】
請求項１に記載の冷凍装置であって、
前記制御部は、
前記第２遮断機を投入する際には、前記第２遮断器が遮断されてから、前記コンプレッサの吸入側の冷媒の圧力と吐出側の冷媒の圧力とが平衡となるまでの時間に応じた所定時間が経過した後に、前記第２遮断器を投入すること、
を特徴とする冷凍装置。
【請求項３】
請求項１または請求項２に記載の冷凍装置であって、
前記制御部は、
測定された前記電源の電圧が所定電圧より低くなり前記第２遮断器が遮断されると、前記コンプレッサの動作が停止されたことを示す情報を表示部に表示すること、
を特徴とする冷凍装置。
【請求項４】
第１及び第２コンプレッサと、前記第１及び第２コンプレッサを動作させるための電源から前記第１コンプレッサに流れる電流が第１電流より大きくなると前記第１コンプレッサに流れる電流を遮断し、利用者の操作に応じて投入される第１遮断器と、前記電源から前記第２コンプレッサに流れる電流が第２電流より大きくなると前記第２コンプレッサに流れる電流を遮断し、前記利用者の操作に応じて投入される第２遮断器と、を備える冷凍装置であって、
前記電源の電圧を測定する電圧測定部と、
測定された前記電源の電圧が所定電圧より低くなると、前記電源から前記第１コンプレッサに流れる電流が遮断されるよう前記第１遮断器に直列に設けられた第３遮断器を遮断し、前記電源の電圧が前記所定電圧より高くなった後に、前記第３遮断器を投入するとともに、測定された前記電源の電圧が前記所定電圧より低くなると、前記電源から前記第２コンプレッサに流れる電流が遮断されるよう前記第２遮断器に直列に設けられた第４遮断器を遮断し、前記電源の電圧が前記所定電圧より高くなった後に、前記第４遮断器を投入する制御部と、
前記電源から前記第１コンプレッサ及び前記第２コンプレッサに供給される電流が第３電流より大きくなると、前記第１コンプレッサ及び前記第２コンプレッサに供給される電流を遮断し、利用者の操作に応じて投入される第５遮断機と、
を備え、
前記第１電流は、
前記電源の電圧が前記所定電圧の際に前記第１コンプレッサに流れる電流より大きく、前記第３電流より小さく、
前記第２電流は、
前記電源の電圧が前記所定電圧の際に前記第２コンプレッサに流れる電流より大きく、前記第３電流より小さいこと、
を特徴とする冷凍装置。
【請求項５】
請求項４に記載の冷凍装置であって、
前記制御部は、
前記第３遮断器が遮断されてから、前記第１コンプレッサの吸入側の冷媒の圧力と吐出側の冷媒の圧力とが平衡となるまでの時間に応じた第１時間が経過し、かつ、前記電源の電圧が前記所定電圧より高くなると、前記第３遮断器を投入し、
前記制御部は、
遮断された前記第３遮断器が投入されてから第２時間が経過した後に、遮断されている前記第４遮断器を投入すること、
を特徴とする冷凍装置。
【発明の詳細な説明】
【技術分野】
【０００１】
本発明は、冷凍装置に関する。
【背景技術】
【０００２】
冷凍装置に設けられるコンプレッサは、過熱や冷媒のスローリーク等の何らかの異常が原因でロックすることがある。コンプレッサがロックすると過電流が流れ、そのまま放置するとコンプモータのコイルが焼損してコンプレッサの破壊に至る。このため、一般的な冷凍装置には、コンプレッサを過電流あるいは過熱から保護するための保護回路（例えば、バイメタル等のオーバーロードリレー）が設けられている。コンプロックの原因となった異常が短時間で解消されればよいが、長く続くと保護回路が断／接を繰り返すので、最悪バイメタルが溶着することがある。
【０００３】
一方、生体試料等を収容し庫内を−８０度Ｃ以下に冷却するいわゆる超低温フリーザでは、コンプレッサのロック等の障害で冷却能力が失われると、収容する貴重な生体試料を駄目にしてしまうので、それを防止するために冷凍回路を２重に設けておき、一方の冷凍回路（例えば、コンプレッサ）が故障しても、残った他方の冷凍回路で冷却能力を確保し、凍結試料の溶解を回避するようにしたものがある。
【先行技術文献】
【特許文献】
【０００４】
【特許文献１】特開２０１０−６５９２５号公報
【発明の概要】
【発明が解決しようとする課題】
【０００５】
コンプレッサのロックからバイメタルの溶着に至ると過電流が流れ続けるので、系全体を保護する遮断器（いわゆるブレーカ）が作動する。上述した冷凍回路を２重に設けた装置では、一方の冷凍回路のコンプレッサのロックが原因で系全体がダウンすることを防止するために、２つの冷凍回路それぞれに個別の遮断器をオーバーロードリレーと直列に更に設けている。この個別の遮断器は再度の溶着を防止するために手動復帰型の遮断器が使われると共に、系全体を保護する主遮断器よりも先に作動するよう設定されている。
【０００６】
ところで、電源電圧が変動し、電圧低下によりコンプレッサがロックすることもある。この場合も過電流が流れるが、ここで手動復帰型の個別の遮断器が作動してしまうと、使用者が遮断器を復帰させない限り、電圧が回復しても冷凍回路は停止したままになって、初期の冷凍能力を発揮できなくなってしまう。
【０００７】
そこで、本発明は、電源電圧の一時的な低下でコンプレッサがロックするのを効果的に防止し得る冷凍装置を提供することを目的とする。
【課題を解決するための手段】
【０００８】
上記目的を達成するため、本発明の一つの側面に係る冷凍装置は、コンプレッサと、前記コンプレッサを動作させるための電源から前記コンプレッサに流れる電流が所定電流より大きくなると前記コンプレッサに流れる電流を遮断し、利用者の操作に応じて投入される第１遮断器と、を備える冷凍装置であって、前記電源の電圧を測定する電圧測定部と、測定された前記電源の電圧が所定電圧より低くなると、前記電源から前記コンプレッサに流れる電流が遮断されるよう前記第１遮断器に直列に設けられた第２遮断器を遮断し、前記電源の電圧が前記所定電圧より高くなった後に、前記第２遮断器を投入する制御部と、前記冷凍装置の庫内の温度を測定する温度測定部と、を備え、前記制御部は、測定された前記庫内の温度が第１温度となると前記第２遮断器を遮断し、前記庫内の温度が前記第１温度より高い第２温度となると前記第２遮断器を投入し、前記所定電流は、前記電源の電圧が前記所定電圧の際に前記コンプレッサに流れる電流より大きいこと、を特徴とする。
【発明の効果】
【０００９】
コンプレッサの電源の電圧が一時的に低下した際にも、冷凍装置の庫内の温度上昇を抑制できる制御装置を提供することができる。
【図面の簡単な説明】
【００１０】
【図１】本発明の一実施形態である冷凍装置１０の構成を示す図である。
【図２】マイコン７４が実現する機能ブロックを示す図である。
【図３】マイコン７４が実行する処理の一例を示すフローチャートである。
【図４】商用電源の電圧Ｖａｃが一時的に低下した際の冷凍装置１０の動作を説明するための図である。
【発明を実施するための形態】
【００１１】
本明細書および添付図面の記載により、少なくとも以下の事項が明らかとなる。
【００１２】
図１は、本発明の一実施形態である冷凍装置１０の構成を示す図である。冷凍装置１０は、冷凍庫２０、冷媒回路２１，２２、電源用プラグ２３、遮断装置２４、変圧器２５、及び制御装置２６を含んで構成される。
【００１３】
冷凍庫２０は、冷凍物品や生体組織等を例えば−８０℃の超低温度で保存する。また、冷凍庫２０には、庫内の温度に応じた電圧を出力する温度センサ３０が設けられている。  
冷媒回路２１は、冷凍庫２０の庫内を冷却するための回路であり、コンプレッサ４０、コンデンサ４１、膨張弁４２、及び蒸発器４３を含んで構成される。  
コンプレッサ４０（第１コンプレッサ）は、蒸発器４３で蒸発された冷媒を吸入した後に圧縮し、コンデンサ４１へと吐出する。なお、コンプレッサ４０には、電源が供給されるとコンプレッサ４０を動作させるモータ（不図示）が設けられている。  
コンデンサ４１は、コンプレッサ４０で圧縮された高温、高圧のガス状の冷媒を冷却して液化させる。  
膨張弁４２は、コンデンサ４１で液化された高圧状態の冷媒を気化させて蒸発器４３に出力する。蒸発器４３は、冷媒を蒸発させ冷凍庫２０の庫内を冷却する。
【００１４】
冷媒回路２２は、冷媒回路２１と同様に冷凍庫２０の庫内を冷却するための回路であり、コンプレッサ４５（第２コンプレッサ）、コンデンサ４６、膨張弁４７、及び蒸発器４８を含んで構成される。なお、冷媒回路２２の各ブロックは、冷媒回路２１の各ブロックと同様であるため、詳細な説明は省略する。
【００１５】
商用電源２３は、冷凍装置１０に電源を供給する電源であり、商用電源２３のコンセント（不図示）に接続される。なお、図１においては省略されているが、商用電源２３は、制御装置２６にも供給されている。
【００１６】
遮断装置２４は、例えば庫内の温度が所定温度となった場合や、コンプレッサ４０，４５に過電流が発生した場合に、コンプレッサ４０，４５の動作を停止すべく商用電源２３からコンプレッサ４０，４５に供給される電流を遮断する。遮断装置２４は、商用電源２３と、コンプレッサ４０，４５との間に設けられ、遮断器５０〜５５、ケーブル６０，６１を含んで構成される。
【００１７】
遮断器５０は、冷凍庫２０のいわゆる主ブレーカであり、商用電源２３からコンプレッサ４０，４５に供給される電流が過電流となると、コンプレッサ４０，４５に供給される電流を遮断する。
【００１８】
電源電圧は、ケーブル６０及び遮断器５４とケーブル６１及び遮断器５２とを介してコンプレッサ４０に印加されるとともに、ケーブル６０及び遮断器５５とケーブル６１及び遮断器５３とを介してコンプレッサ４５に印加される。
【００１９】
なお、本実施形態では、遮断器５０に流れる電流が所定電流Ｉ０となると、遮断器５０は遮断されることとする。
【００２０】
遮断器５２は、コンプレッサ４０を過電流から保護するためのブレーカであり、コンプレッサ４０に流れる電流ＩＡが過電流を示す所定電流Ｉ１（第１電流）となると電流ＩＡを遮断する。なお、所定電流Ｉ１は、前述の所定電流Ｉ０より小さく（例えば半分）に設定されている。
【００２１】
遮断器５３は、コンプレッサ４５を過電流から保護するためのブレーカであり、コンプレッサ４５に流れる電流ＩＢが過電流を示す所定電流Ｉ１（第２電流）となると電流ＩＢを遮断する。
【００２２】
なお、遮断器５０〜５３は、作動後に利用者の操作によって復帰される手動復帰型の遮断器である。
【００２３】
遮断器５４は、制御装置２６により操作されるいわゆる温調リレーであり、庫内の温度が所定温度となるか、電源電圧Ｖａが所定電圧Ｖ１（例えば、電源電圧Ｖａの７０％）より低くなると、制御装置２６により遮断される。
【００２４】
遮断器５５は、制御装置２６により操作されるいわゆる温調リレーであり、庫内の温度が所定温度となるか、電源電圧Ｖａが所定電圧Ｖ１より低くなると、制御装置２６により遮断される。ここで、本実施形態では、電源電圧Ｖａが所定電圧Ｖ１となる際の電流ＩＡ，ＩＢは、過電流を示す所定電流Ｉ１より小さくなるよう、所定電圧Ｖ１が定められている。
【００２５】
したがって、電源電圧Ｖａが所定電圧Ｖ１より低くなると、電流ＩＡが過電流となる前に、つまり、遮断器５２が遮断される前に遮断器５４が遮断される。同様に、電源電圧Ｖａが所定電圧Ｖ１より低くなると、電流ＩＢが過電流となる前に、つまり、遮断器５３が遮断される前に遮断器５５が遮断される。なお、ここでは、電源電圧Ｖａが所定電圧Ｖ１となる際の電流ＩＡ，ＩＢの夫々を電流Ｉ２（＜Ｉ１）とする。
【００２６】
変圧器２５は、電源電圧Ｖａを所定の比率で降圧するいわゆる計測用の変圧器である。
【００２７】
制御装置２６は、変圧器２５や温度センサ３０からの出力に基づいて、冷凍装置１０の動作を統括制御する装置であり、操作部８０、記憶装置８１、表示部８２、及びマイコン８３を含んで構成される。
【００２８】
操作部８０は、利用者が冷凍装置１０の動作を設定するための操作パネル等である。操作部８０の操作結果は例えばマイコン８３に送信される。  
記憶装置８１は、マイコン８３が実行するプログラムデータや、各種データを記憶する。  
表示部８２は、庫内の温度、操作結果、冷凍装置１０の異常の有無等の各種情報を表示する表示パネル等である。  
マイコン８３は、記憶装置８１に記憶されたプログラムデータを実行することにより、各種機能を実現する。例えば、利用者により庫内の温度が設定されると、マイコン８３は、庫内の温度を設定温度とするためのプログラムを実行し、冷凍装置１０の各ブロックを制御する。
【００２９】
＝＝マイコン８３の詳細について＝＝
マイコン８３は、庫内の温度を設定温度とするためのプログラムを実行すると、例えば図２に示すような、温度測定部１００、電圧測定部１０１、制御部１０２，１０３、及び計時部１０４の機能を実現する。
【００３０】
温度測定部１００は、温度センサ３０からの出力に基づいて庫内の温度を測定する。また、温度測定部１００は、測定した温度を表示部８２に表示する。  
電圧測定部１０１は、変圧器２５で変圧された電圧に基づいて、電源電圧Ｖａｃを測定する。なお、電源電圧Ｖａｃは交流電圧であるため、電圧測定部１０２は、電源電圧Ｖａｃの例えば実効値を測定する。
【００３１】
制御部１０２は、測定された庫内の温度が設定温度となるように、遮断器５４，５５を制御する。制御部１０２は、庫内の温度が設定温度（例えば、−８０℃）より低い所定温度Ｔａ（例えば、−８２℃）になると、コンプレッサ４０，４５の動作を停止すべく遮断器５４，５５を遮断する。そして、制御部１０２は、遮断器５４，５５が遮断されてから所定時間Ｔ１経過した後に、庫内の温度が設定温度より高い所定温度Ｔｂ（例えば、−７８℃）になると、コンプレッサ４０，４５の動作を開始すべく遮断器５４，５５を順次オン（接続）する。したがって、冷凍庫２０の庫内の温度は、ほぼ設定温度に保たれることになる。なお、所定時間Ｔ１は、例えば、コンプレッサ４０の吸入側の冷媒の圧力と吐出側の冷媒の圧力とが平衡となるまでの時間（例えば、３分）である。また、所定温度Ｔａは第１温度に相当し、所定温度Ｔｂは第２温度に相当する。
【００３２】
制御部１０３は、測定された電源電圧Ｖａと所定電圧Ｖ１との大小、すなわち、電源電圧Ｖａの実効値と所定電圧Ｖ１の実効値との大小に基づいて、遮断器５４，５５を制御する。制御部１０３は、電源電圧Ｖａが所定電圧Ｖ１より低くなると、コンプレッサ４０，４５の動作を停止すべく遮断器５４，５５を遮断（即ちオフ）する。また、制御部１０３は、遮断器５４，５５が遮断されてから所定時間Ｔ１経過した後に、電源電圧Ｖａが所定電圧Ｖ１より高くなると、遮断器５４，５５を順次オンする。さらに、制御部１０３は、電源電圧Ｖａｃが所定電圧Ｖ１より低くなり、遮断器５４，５５が遮断されると、表示部８２にコンプレッサ４０，４６が電圧低下により停止したことを示す停止情報を表示する。
【００３３】
計時部１０４は、遮断器５４，５５が遮断されてから所定時間Ｔ１や、遮断器５４が投入されてからの所定時間Ｔ２を計時する。なお、所定時間Ｔ２は、コンプレッサ４０，４５が同時に起動することを防ぐために設けられた時間（例えば、１分）である。
【００３４】
＝＝マイコン８３の処理の一例について＝＝
ここで、電源電圧Ｖａｃが低下した際にマイコン８３の各機能ブロックが実行する処理の一例を、図３を参照しつつ説明する。なお、ここでは、庫内の温度はほぼ設定温度になっていることとする。
【００３５】
まず、電圧測定部１００は、変圧器２５の出力を取得し電源電圧Ｖａｃを測定する（Ｓ１００）。そして、制御部１０３は、電源電圧Ｖａｃが所定電圧Ｖ１より低いか否かを判定する（Ｓ１０１）。電源電圧Ｖａｃが所定電圧Ｖ１より高い場合（Ｓ１０１：ＮＯ）、処理Ｓ１００が繰り返される。一方、電源電圧Ｖａｃが所定電圧Ｖ１より低い場合（Ｓ１０１：ＹＥＳ）、制御部１０３は、電源電圧Ｖａｃの低下に応じて電流ＩＡ，ＩＢが過電流となることを防ぐために、遮断器５４，５５を遮断する（Ｓ１０２）。この結果、電流ＩＡ，ＩＢは遮断され、コンプレッサ４０，４５の動作は停止される。また、制御部１０３は、表示部８２に、電源電圧Ｖａｃが所定電圧Ｖ１より低下し、コンプレッサ４０，４５の動作が停止されたことを示す停止情報を表示する（Ｓ１０３）。
【００３６】
そして、制御部１０３は、計時部１０４の経時結果に基づいて、遮断器５４，５５が遮断されてから所定時間Ｔ１が経過したか否かを判定する（Ｓ１０４）。遮断器５４，５５が遮断されてから所定時間Ｔ１が経過すると（Ｓ１０４：ＹＥＳ）、制御部１０３は、電源電圧Ｖａｃが所定電圧Ｖ１より高いか否かを判定する（Ｓ１０５）。つまり、制御部１０３は、処理Ｓ１０５において、電源電圧Ｖａｃが復帰したか否かを判定する。
【００３７】
そして、制御部１０３は、電源電圧Ｖａｃが所定電圧Ｖ１より高いことを判定すると（Ｓ１０４：ＹＥＳ）、すなわち電源電圧Ｖａｃの復帰が判定されると、制御部１０３は、コンプレッサ４０の動作を開始すべく遮断器５４をオンする（Ｓ１０６）。また、計時部１０４の経時結果に基づいて、制御部１０３は、遮断器５４がオンされてから所定時間Ｔ２が経過したか否かを判定する（Ｓ１０７）。そして、制御部１０３は、遮断器５４がオンされてから所定時間Ｔ２が経過したことを判定すると（Ｓ１０７：ＹＥＳ）、コンプレッサ４５の動作を開始すべく遮断器５５をオンする（Ｓ１０８）。
【００３８】
このような処理が実行されることにより、電源電圧Ｖａｃが復帰した後に、コンプレッサ４０，４５の動作は再開される。
【００３９】
＝＝電源電圧Ｖａｃが低下した際の冷凍装置１０の動作の一例について＝＝
図４を参照しつつ、電源電圧Ｖａｃが低下した際の冷凍装置１０の動作の一例を説明する。なお、ここでは、コンプレッサ４０，４５はともに動作し、庫内の温度はほぼ設定温度になっていることとする。また、ここでは、例えば変電設備に異常が発生し、時刻ｔ０〜ｔ２の間に、電源電圧Ｖａｃが一時的に低下することとする。
【００４０】
まず、時刻ｔ０に電源電圧Ｖａｃが低下すると、例えばコンプレッサ４０，４５の夫々のモータ（不図示）に流れる電流が増加し、電流ＩＡ，ＩＢが増加する。また、時刻ｔ１に電源電圧Ｖａｃが所定電圧Ｖ１より低くなると、遮断器５４，５５は遮断されるため（Ｓ１０２）、電流ＩＡ，ＩＢはゼロとなる。
【００４１】
そして、時刻ｔ１から所定時間Ｔ１だけ経過した時刻ｔ３のタイミングでは（Ｓ１０４：ＹＥＳ）、電源電圧Ｖａｃは電圧Ｖ１より高いため（Ｓ１０５：ＹＥＳ）、遮断器５４はオンされる（Ｓ１０６）。この結果、電流ＩＡは増加し、コンプレッサ４０の動作は開始される。さらに、時刻ｔ３から所定時間Ｔ２だけ経過した時刻ｔ４となると（Ｓ１０７：ＹＥＳ）、遮断器５５はオンされる（Ｓ１０８）。したがって、電流ＩＢも増加し、コンプレッサ４５の動作は開始される。このように、時刻ｔ０〜ｔ２までの間に電源電圧Ｖａｃが一時的に低下した場合であっても、電源電圧Ｖａｃが復帰した後には、コンプレッサ４０，４５の動作も再開される。
【００４２】
ところで、例えば、遮断器５４，５５が庫内の温度のみに基づいて制御される場合、すなわち、電源電圧Ｖａｃが低下しても遮断器５４，５５が遮断されない場合、点線に示したように時刻ｔ１以降も電流ＩＡ，ＩＢは増加し続ける。そして、時刻ｔ１０に、電流ＩＡ，ＩＢは過電流を示す所定電流Ｉ１となるため、遮断器５２，５３が遮断されることになる。遮断器５２，５３は、いわゆる手動復帰型の遮断器であるため、このような場合、電源電圧Ｖａｃが復帰した後も、自動的にコンプレッサ４０，４５の動作が開始されることは無い。一方、本実施形態では、電源電圧Ｖａｃが復帰した後には、コンプレッサ４０，４５の動作も再開されるため、冷凍機２０の庫内の温度の上昇を抑制できる。
【００４３】
以上、本発明の一実施形態である冷凍装置１０について説明した。制御装置２６は、電源電圧Ｖａｃが低下すると、過電流を遮断する遮断器５２が遮断される前に遮断器５４を遮断する。そして、電源電圧Ｖａｃが復帰すると、遮断器５４をオンする。このため、本実施形態では、電源電圧Ｖａｃが低下した際に手動復帰型の遮断器５２が遮断されることはないため、確実に庫内の温度上昇を抑制できる。
【００４４】
また、制御部１０３は、遮断器５４が遮断されてから、コンプレッサ４０の吸入側の冷媒の圧力と吐出側の冷媒の圧力とが平衡となる所定時間Ｔ１が経過するまではオンされることは無い。このため、コンプレッサ４０の起動時の負荷を軽減することができる。
【００４５】
また、遮断器５４は、庫内の温度を調整するための温度調整用の遮断器としても用いられている。したがって、温度調整用の遮断器と、電源電圧Ｖａｃが低下した際に遮断される遮断器とを別々に設ける場合と比較すると、部品点数を少なくすることができる。
【００４６】
また、表示部８２には、電源電圧Ｖａｃが所定電圧Ｖ１より低下した際に、コンプレッサ４０，４５の動作が停止されたことを示す停止情報が表示される。このため、利用者は、電源電圧Ｖａｃが低下してコンプレッサ４０，４５が停止したことを把握することが可能となる。
【００４７】
また、冷凍装置１０にように、２つのコンプレッサ４０，４５が設けられている場合においても、確実に庫内の温度上昇を抑制できる。
【００４８】
また、コンプレッサ４０，４５が同時にオンされると、コンプレッサ４０，４５には過渡的に非常に大きな電流が流れるため、商用電源を供給する配電設備に悪影響が与えられることがある。本実施形態では、コンプレッサ４０が起動されてから所定時間Ｔ２だけ経過したタイミングでコンプレッサ４５が起動されているため、コンプレッサ４０，４５の起動時に発生する過渡的な電流を低減することができる。
【００４９】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００５０】
冷凍装置１０には、２つの冷媒回路２１，２２が設けられているが、冷媒回路が１つ（例えば、冷媒回路２１）しかない場合であっても同様の効果を得ることができる。
【００５１】
一般に、コンプレッサ４０の吸入側の冷媒の圧力と吐出側の冷媒の圧力とが平衡となるまでの時間はばらつく。このため、所定時間Ｔ１を、コンプレッサ４０の吸入側の冷媒の圧力と吐出側の冷媒の圧力とが平衡となるまでの平均時間の所定倍（例えば１．２倍）としても良い。
【００５２】
また、遮断器５２，５３が遮断される電流はともに所定電流Ｉ１であるとしたが、夫々の遮断器が遮断される電流が異なっていても所定電流Ｉ２より大きい限り、本実施形態と同様の効果を得ることができる。
【符号の説明】
【００５３】
１０  冷凍装置
２０  冷凍庫
２１，２２  冷媒回路
２３  電源用プラグ
２４  遮断装置
２５  変圧器
２６  制御装置
３０  温度センサ
４０，４５  コンプレッサ
４１，４６  コンデンサ
４２，４７  膨張弁
４３，４８  蒸発器
５０〜５５  遮断器
６０，６１  ケーブル
８０  操作部
８１  記憶装置
８２  表示部
８３  マイコン
１００  温度測定部
１０１  電圧測定部
１０２，１０３  制御部
１０４  計時部
【図１】
0005659366.tif 000002
【図２】
0005659366.tif 000003
【図３】
0005659366.tif 000004
【図４】
0005659366.tif 000005